(57)【要約】    【課題】  採血針や採血ホルダーなどの採血具において、血液の逆流を確実にかつ速やかに防止でき、採血管から血管側への移動が生じ難い、逆流防止構造を提供する。    【解決手段】  筒状体としてのハブ２内に第１の端部２ａから第２の端部２ｂに向かって延びる流路５が構成されており、ハブ２に対して、第１，第２の端部を結ぶ方向において移動可能に第２の中空針４及び弁部材６が連結されており、弁部材６は第２の中空針４の基部４ｂに固定されており、かつ内部に第２の中空針４に連通している内部流路７を有し、内部流路７は、弁部材６の側面に開いた開口７ａを有し、付勢手段としてのコイルバネ８により付勢されて、常時は内部流路７が流路５と遮断されている第１の状態とされており、付勢手段としてのコイルバネ８の付勢力に逆らってコイルバネ８を押圧することにより、内部流路７が流路５に連通している第２の状態とすることが可能とされている、逆流防止構造。【選択図】      図１
2005323942.tif 000002
【特許請求の範囲】
【請求項１】
採血具において血液の逆流を防止するための逆流防止構造であって、
血液を採取するための第１の中空針が接続される第１の端部と、採血容器内に血液を導くための第２の中空針が接続される第２の端部とを有し、第１の端部から第２の端部に向かって延び、かつ血液が流れる流路を有する筒状体と、
前記筒状体の流路内に収納されており、該流路と第２の中空針とを連通させる内部流路を有し、第２の中空針と固定された弁部材と、
前記筒状体内に配置されており、前記弁部材及び第２の中空針を、前記筒状体の第１，第２の端部を結ぶ方向において、第２の端部側に付勢する付勢手段とを備え、
前記弁部材及び前記付勢手段は、前記付勢手段の付勢力により前記弁部材が第２の端部側に位置されて、前記弁部材の内部流路が前記筒状体の流路と遮断されている第１の状態と、前記付勢手段の付勢力に逆らって前記弁部材及び第２の中空針を第１の端部側に移動させた際に、前記筒状体の流路が前記弁部材の内部流路に連通されている第２の状態とをとり得るように構成されていることを特徴とする、採血具の逆流防止構造。
【請求項２】
前記弁部材の内部流路の一端が前記第２の中空針に連通され、前記内部流路の他端が、弁部材の側面に開口しており、前記第１の状態にあるときには、前記弁部材の側面の開口が前記筒状体の側面により液密的に閉じられており、前記第２の状態にあるときには、該開口が開いている、請求項１に記載の採血具の逆流防止構造。
【請求項３】
前記付勢手段が、コイルバネである、請求項１または２に記載の採血具の逆流防止構造。
【請求項４】
前記付勢手段が、板バネ状部材からなる、請求項１または２に記載の採血具の逆流防止構造。
【請求項５】
採血に際し、採血容器内に血液を導くための中空針と、
前記中空針の基部に固定されたハブとを備えるルアー針であって、前記ハブ及び中空針が請求項１〜４のいずれか１項に記載の採血具の逆流防止構造により構成されているルアー針。
【請求項６】
血液を採取するための中空針と、該中空針の基部に接続されたハブと、該ハブに接続されており、採血容器に血液を導くために用いられる中空針とを備える採血針であって、前記ハブ及び採血容器に血液を導くために用いられる中空針が、請求項１〜４のいずれか１項に記載の採血具の逆流防止構造により構成されている、採血針。
【請求項７】
一端側に採血管を挿入するための開口が形成されており他端側が閉じられている筒状のホルダー本体と、
ホルダー本体の他端側に設けられたハブと、
前記ハブに一端が固定されており、採血容器に血液を導くために用いられる中空針とを有する採血ホルダーであって、上記ハブ及び採血容器に血液を導くために用いられる中空針が、請求項１〜４のいずれか１項に記載の採血具の逆流防止構造により構成されている採血ホルダー。
【請求項８】
前記ハブに一端が固定されており、他端がホルダー外に延ばされた血液採取用中空針をさらに備え、該血液採取用中空針が前記筒状体の第１の端部側に連結されている請求項７に記載の採血ホルダー。
【発明の詳細な説明】
【技術分野】
【０００１】
本発明は、血液を採取するのに用いられる採血具の逆流防止構造に関し、より詳細には、逆流防止構造、逆流防止構造が備えられたルアー針、採血針及び採血ホルダーに関する。
【背景技術】
【０００２】
従来、真空採血法などの血液採取方法において、様々な採血針や採血ホルダーが用いられている。ところで、採血に際しては、まず、駆血帯を被採血者の腕に取り付ける。次に、採血用中空針の針先を血管内に挿入する。採血用中空針は、真空採血管の栓体を刺通する連通用中空針に連ねられている。採血用中空針と連通用中空針とを接続する構造としては、内部流路を有するハブなどの様々な構造が提案されている。
【０００３】
真空採血に際しては、上記のように採血用中空針の針先を血管に挿入した後に、連通用中空針の針先により真空採血管の栓体を刺通する。それによって、採血用中空針と真空採血管内とが連通され、真空採血管内が減圧されているため、血液が血管から真空採血管に導かれる。
【０００４】
真空採血管内の圧力と血管の圧力がほぼ等しくなった時点で採血が終了する。採血終了後には、連通用中空針を真空採血管から引き抜き、駆血帯を取り外す。しかしながら、誤って、先に駆血帯が取り外されると、血管内の圧力が急激に低くなるため、採血管内の血液が血管側に向かって逆流するおそれがある。また、採血管の配置されている位置が血管よりも高い場合には、位置エネルギーによっても逆流の生じるおそれがある。他方、真空採血管内には、抗凝固剤や薬剤などが収納されていることが多い。従って、逆流が生じると、薬剤や抗凝固剤が血管側に移行し、悪影響を及ぼすおそれがある。そこで、従来より逆流を防止するための様々な構造が提案されている。
【０００５】
例えば、下記の特許文献１には、血流によって移動可能なプラグが内蔵されている採血針が開示されている。ここでは、逆流が生じた場合、逆流によりプラグが移動し、流路が閉塞されるように構成されている。すなわち、上記プラグは、血流の方向の変動により、流路を遮断するように構成されている。しかしながら、血液の流れ方向が逆転することにより流路を遮断するものであるため、上記プラグによる流路を遮断する力は一定ではなく、静脈圧と採血管内の圧力との差圧に依存しており、安定性がないという問題があった。すなわち、場合によっては流路を確実に遮断することができないことがあった。
【０００６】
加えて、上記プラグは、血流が逆転し、しかる後プラグが移動して流路が遮断されるため、速やかに逆流を防止することはできなかった。すなわち、流路が遮断される前に、血液が誤って採血管内から静脈側に移動するおそれがあった。他方、下記の特許文献２には、逆流が生じた場合には、血液の流れにより流路を閉じるように移動されるフラップ状逆止め弁が備えられた採血針が開示されている。しかしながら、この構造においても、同様に血液の逆方向の流れにともなう圧力を利用して逆流を防止しているため、静脈圧と採血管内の圧力との差圧が小さい場合には、逆流を防止することができないことがあった。また、特許文献１に記載のプラグの場合と同様に、逆流を防止するために若干の時間を必要とするため、確実に採血管内の血液の血管側への移動を防止することが困難であった。
【特許文献１】特開昭５７−１１６６１号公報
【特許文献２】特開昭５４−４１９１号公報
【発明の開示】
【発明が解決しようとする課題】
【０００７】
本発明は、上述した従来技術の欠点を解消し、採血終了時に何らかの理由により採血管内の圧力が静脈側圧力よりも高くなり逆流が生じようとした場合であっても、採血管内の血管の静脈側への移動を確実にかつ速やかに防止することを可能とする採血具の逆流防止構造、該逆流防止構造が備えられたルアー針、採血針及び採血ホルダーを提供することにある。
【課題を解決するための手段】
【０００８】
本発明の採血具の逆流防止構造は、採血具において血液の逆流を防止するための逆流防止構造であって、血液を採取するための第１の中空針が接続される第１の端部と、採血容器内に血液を導くための第２の中空針が接続される第２の端部とを有し、第１の端部から第２の端部に向かって延び、かつ血液が流れる流路を有する筒状体と、前記筒状体の流路内に収納されており、該流路と第２の中空針とを連通させる内部流路を有し、第２の中空針と固定された弁部材と、前記筒状体内に配置されており、前記弁部材及び第２の中空針を、前記筒状体の第１，第２の端部を結ぶ方向において、第２の端部側に付勢する付勢手段とを備え、前記弁部材及び前記付勢手段は、前記付勢手段の付勢力により前記弁部材が第２の端部側に位置されて、前記弁部材の内部流路が前記筒状体の流路と遮断されている第１の状態と、前記付勢手段の付勢力に逆らって前記弁部材及び第２の中空針を第１の端部側に移動させた際に、前記筒状体の流路が前記弁部材の内部流路に連通されている第２の状態とをとり得るように構成されていることを特徴とする。
【０００９】
本発明に係る採血具の逆流防止構造のある特定の局面では、前記弁部材の内部流路の一端が前記第２の中空針に連通され、前記内部流路の他端が、弁部材の側面に開口しており、前記第１の状態にあるときには、前記弁部材の側面の開口が前記筒状体の側面により液密的に閉じられており、前記第２の状態にあるときには、該開口が開いている。
【００１０】
本発明に係る採血具の逆流防止構造の他の特定の局面では、前記付勢手段が、コイルバネである。
【００１１】
本発明に係る採血具の逆流防止構造のさらに別の特定の局面では、前記付勢手段が、板バネ状部材からなる。
【００１２】
本発明に係るルアー針は、採血に際し、採血容器内に血液を導くための中空針と、前記中空針の基部に固定されたハブとを備えるルアー針であって、前記ハブ及び中空針が請求項１〜４のいずれか１項に記載の採血具の逆流防止構造により構成されていることを特徴とする。
【００１３】
本発明に係る採血針は、血液を採取するための中空針と、該中空針の基部に接続されたハブと、該ハブに接続されており、採血容器に血液を導くために用いられる中空針とを備える採血針であって、前記ハブ及び採血容器に血液を導くために用いられる中空針が、本発明に従って構成された採血具の逆流防止構造により構成されている。
【００１４】
本発明に係る採血ホルダーは、一端側に採血管を挿入するための開口が形成されており他端側が閉じられている筒状のホルダー本体と、ホルダー本体の他端側に設けられたハブと、前記ハブに一端が固定されており、採血容器に血液を導くために用いられる中空針とを有する採血ホルダーであって、上記ハブ及び採血容器に血液を導くために用いられる中空針が、本発明に従って構成された採血具の逆流防止構造により構成されている。
【００１５】
本発明に係る採血ホルダーのある特定の局面では、前記ハブに一端が固定されており、他端がホルダー外に延ばされた血液採取用中空針をさらに備え、該血液採取用中空針が前
記筒状体の第１の端部側に連結されている。
【発明の効果】
【００１６】
本発明に係る採血具の逆流防止構造では、上記筒状体内に、第１の端部から第２の端部側に向かって延びる流路が構成されている。そして、第２の端部側においては、上記弁部材及び第２の中空針が、第１，第２の端部を結ぶ方向において移動可能な方向に配置されており、弁部材の内部流路が筒状体の流路と遮断されるように弁部材が第２の端部側に移動されている第１の状態と、弁部材の内部流路が筒状体の流路と連通するように弁部材が第２の端部側から第１の端部側に向かって移動されている第２の状態とをとり得るように、弁部材及び第２の中空針が筒状体の第１，第２の端部を結ぶ方向において移動可能とされており、初期状態では、第１の状態とされている。
【００１７】
従って、採血に際し、上記付勢手段の付勢力に逆らうように力を加えて弁部材及び第２の中空針を筒状体内で移動させることにより、第２の状態とすることができる。第２の状態では、筒状体の流路と、弁部材の内部流路とが連通される。従って、この状態で、第１の中空針の針先を被採血者の血管に挿入し、第２の中空針の針先を採血容器に挿入すれば、第１の中空針、筒状体内の流路、弁部材及び第２の中空針を通り血液が採血容器に採取される。
【００１８】
特に、第２の中空針の針先を、例えば真空採血管の栓体に刺通した場合には、刺通抵抗を利用して、上記付勢手段の勢力の逆らう方向に力を送ることができ、容易に第２の状態とすることができる。
【００１９】
真空採血管を用いた採血に際しては、真空採血管内の圧力と被採血者の静脈血圧が同等となった段階において、血流が停止し、採血は自動的に終了する。この状態まで、上記付勢手段の付勢力に逆らって、第２の中空針を筒状体に向かって押圧しておけば、常に第２の状態として、血液を採取することができる。そして、上記のように、差圧の解消により血流が停止した段階においては、上記第２の中空針を筒状体側に押圧する力を解除するだけで、直ちに付勢手段の付勢力により弁部材が第２の端部側に向かって移動され、第１の状態とされる。従って、筒状体内の流路と、弁部材の内部流路が遮断され、逆流を確実に防止することができる。
【００２０】
真空採血時は片手で採血ホルダーをしっかりと保持し、針先が血管より外れないようにすることが必要であり、もう片方の手で採血管の抜き刺しを行う。従って、万一採血管が針を介して血管と連通したままで（採血管を抜く前に）駆血帯を外そうとした場合は、必ず、採血管を押圧している方の手を離して、駆血帯を緩めることになるので、本発明によれば、必ず流路が遮断され、逆流を防止できる。
【００２１】
上記のように、本発明に係る採血具の逆流防止構造では、筒状体の流路は、血流の力を利用せずに、上記付勢手段の付勢力によって弁部材の内部流路と遮断される。従って、静脈血圧と採血管内の差圧に依存せずに確実に逆流を防止することができるとともに、採血終了後に直ちに流路を遮断し、逆流を防止することができる。
【００２２】
特許文献１や特許文献２に記載の先行技術の場合には、逆流を防止するまでに若干の時間を必要としていたため、場合によっては血液が採血管側から被採血者側に移動するおそれがあったのに対し、本発明に係る逆流防止構造を採用した場合には、付勢手段の付勢力により流路が速やかに遮断される。よって、採血管内の血液が被採血者側に移行する可能性が殆どなく、安全性に優れた採血具を提供することが可能となる。
【００２３】
上記弁部材の内部流路の一端が第２の中空針に連通されており、他端が側面に開いた開
口を有し、第１の状態では、側面に開いた開口が筒状体の側壁によって閉じられて流路が内部流路に対して遮断される構造を有する場合には、筒状体の側壁と、弁部材の外側壁とを利用して、すなわち余分な部品をあまり必要とせずに、逆流防止構造を構成することができる。
【００２４】
上記付勢手段は様々な付勢部材により構成するとこができるが、付勢手段がコイルバネからなる場合には、コイルバネの弾発力を利用して、弁部材を第１の状態から第２の状態に速やかに移動させることができる。
【００２５】
また、上記付勢手段が板バネからなる場合には、単純な構造により弁部材を第１の状態から第２の状態に速やかに移動させることができる。
【００２６】
本発明に係るルアー針では、採血容器に血液を導くために用いられる中空針と、該中空針の基部に固定されたハブとを備えるルアー針において、ハブ及び上記中空針が本発明に従って構成された逆流防止構造を有するように構成されているので、ルアー針において逆流を確実にかつ速やかに防止することが可能となる。
【００２７】
本発明に係る採血針では、血液を採取するための第１の中空針と、採血容器に先端が挿入される第２の中空針と、第１，第２の中空針の基部が固定されているハブとを備える構造において、ハブ及び第２の中空針が本発明に従って構成された逆流防止構造からなる。従って、逆流を確実にかつ速やかに防止することが可能とされた採血針を提供することができる。
【００２８】
本発明に係る採血ホルダーでは、ホルダーの一端側に採血管を挿入するための開口が形成されており、他端側が閉じられており、該他端側にハブが設けられており、ハブに一端が固定されており、採血容器に血液を導くために用いられる中空針が設けられている採血ホルダーにおいて、ハブ及び上記中空針が本発明に従って構成された逆流防止構造を用いて構成されており、上記中空針が逆流防止構造の流路の第２の端部側に連通されている。従って、逆流を速やかにかつ確実に防止することができる採血ホルダーを提供することが可能となる。
【００２９】
また、ハブに一端が固定されており、他端がホルダー外に延ばされた採血用中空針をさらに備え、採血用中空針が逆流防止構造の内部流路の第１の端部側に連通されている場合には、本発明に従って、逆流を速やかにかつ確実に防止することを可能とする、安全性に優れた採血ホルダーを提供することができる。
【発明を実施するための最良の形態】
【００３０】
以下、図面を参照しつつ、本発明の具体的な実施形態を説明することにより、本発明を明らかにする。
【００３１】
図１（ａ）は、本発明の一実施形態にかかる逆流防止構造が備えられた採血針の正面図である。採血針１は、筒状体としてのハブ２と、第１，第２の中空針３，４とを有する。
【００３２】
図１（ｂ）に示すように、ハブ２は、第１の端部２ａと、第２の端部２ｂとを結ぶ方向に延びる流路５を有する。第１の端部２ａ側には、第１の中空針３の基部３ａが連結されている。第１の中空針３は、針先３ｂを有し、針先３ｂが、採血に際して血管内に挿入されるように用いられる。第１の中空針３の内部が、ハブ２の流路５に連通されている。
【００３３】
他方、第２の中空針４の基部４ａはハブ２に連結されている。なお、中空針４の針先４ｂは、後述する真空採血管の栓体を刺通するのに用いられる。
【００３４】
図１（ｂ）に示すように、ハブ２内には、弁部材６が配置されている。弁部材６は、第２の中空針４の基部４ａに固定されている。弁部材６及び第２の中空針４は、第１，第２の端部２ａ，２ｂを結ぶ方向に移動可能とされている。
【００３５】
弁部材６には、内部流路７が形成されている。内部流路７は、弁部材６の下面に向かって延び、下面において開口している。この開口が、第２の中空針４に連通されている。他方、内部流路７は、弁部材６の中間高さ位置において側方に延ばされており、弁部材６の側面６ａに開いている開口７ａを有する。弁部材６は、略円錐台状の形状を有し、従って、側面６ａは、上方にいくに連れて径が広がるように傾斜されている。
【００３６】
他方、筒状体としてのハブ２は、上記弁部材６の側面６ａに応じた略円錐台の側面形状の、内側面を有し、該内側面２ｃに、弁部材６の側面６ａが密着している。図１（ｂ）に示す状態では、弁部材６に設けられた内部流路７の開口７ａは、上記側面６ａと、内側面２ｃとの接触により液密的に閉じられている。すなわち、図１（ｂ）では、流路５と、内部流路７とが連通されていない、本発明における第１の状態が示されている。
【００３７】
弁部材６の上方には、付勢手段としてのコイルバネ８が収納されている。コイルバネ８の上端は、ハブ２の内部空間の天面２ｄに当接されており、下端が弁部材６の上面６ｂに当接されている。コイルバネ８は、その弾発力により弁部材６を下方に付勢している。すなわち、コイルバネ８により下方に付勢されて、上記弁部材６の側面６ａが、ハブ２の内側面２ｃに密着され、第１の状態とされている。
【００３８】
なお、図２に示すように、第２の中空針４側から上方に向かって外力を加えた場合には、第２の中空針４と弁部材６とが、上方に移動され、コイルバネ８が圧縮される。この場合には、弁部材６の側面６ａとハブ２の内側面２ｃとの接触が解かれ、開口７ａが流路５内に露出する。従って、流路５と内部流路７とが連通される。図２に示す状態が本発明における第２の状態である。
【００３９】
上記筒状体としてのハブ２は、適宜の合成樹脂などの保形性を有する材料で構成される。このような合成樹脂としては、例えば、塩化ビニル樹脂、ポリプロピレン、ポリエチレン、ポリカーボネートなどを挙げることができる。
【００４０】
上記弁部材６についても、ハブ２と同様の合成樹脂または金属などにより構成され得る。
【００４１】
コイルバネ８は、適宜の金属線を巻回することにより得られたコイルにより構成することができる。
【００４２】
また、中空針３，４は、ステンレスなどの適宜の金属材料などにより構成されている。
【００４３】
次に、本発明に係る採血針を用いた採血方法を図１（ｂ）、及び図２を参照して説明する。
【００４４】
初期状態では、図１（ｂ）に示されているように、コイルバネ８の弾発力により流路５と内部流路７とが連通されていない第１の状態とされている。
【００４５】
採血に際しては、まず、第１の中空針３の針先３ａを被採血者の静脈に挿入する。しかる後、第２の中空針４を、真空採血管１１の栓体１２に刺通する。真空採血管１１は、有底管状の容器１３と栓体１２とを有し、真空採血管１１内は、減圧されている。
【００４６】
第１の中空針３の針先３ａを静脈に挿入した状態で、第２の中空針４の針先４ｂを栓体１２に刺通する。この場合、ゴム弾性を有する栓体１２を第２の中空針４が刺通する際の抵抗により、第２の中空針４及び弁部材６がハブ２に対して上方に移動し、コイルバネ８を圧縮する。その結果、内部流路７の開口７ａが流路５に露出し、流路５と内部流路７とが連通する第２の状態とされる。従って、真空採血管１１内の圧力が静脈圧よりも低いため、血液が第１の中空針３、ハブ２内の流路５、弁部材６内の内部流路７及び第２の中空針４を経て真空採血管１１に採取される。
【００４７】
なお、上記第２の中空針４が栓体１２を刺通する際の抵抗を利用することなく、採血従事者が手指により力を加えて、第２の中空針４及び弁部材６をハブ２に対して上方に移動させ、第２の状態としてもよい。あるいは、採血従事者の手指による力と、上記刺通抵抗の双方を利用して第２の状態としてもよい。
【００４８】
採血に際しては、上記第２の状態を保ち、すなわち手指により力を加えて、コイルバネ８が圧縮され、流路５と内部流路７とが連通された状態を維持する。そして、真空採血管内の圧力と、静脈圧がほぼ等しくなると、血流が自動的に停止し、採血が終了する。この段階で、採血針１に加えていた力を解除し、すなわちコイルバネ８を圧縮する方向に作用させていた力を解除すればよい。その結果、コイルバネ８の弾発力により、弁部材６及び第２の中空針４が下方に押し下げられ、第１の状態に復帰する。すなわち、流路５と内部流路７との間が遮断されることになる。従って、誤って、真空採血管１１内の圧力が、静脈圧よりも高くなったとしても、逆流を確実に防止することができる。
【００４９】
特に、上記逆流防止は、コイルバネ８の付勢力すなわち弾発力によるため、真空採血管１１内の圧力と血管内の圧力との差圧に依存しない。よって、速やかにかつ確実に血流を遮断することができるため、誤って血液が真空採血管１１から血管側に移動するおそれがない。よって、本実施形態によれば、安全性に優れ、かつ速やかに逆流を防止することを可能とする採血針１を提供することができる。
【００５０】
図３（ａ）及び（ｂ）は、本発明の第２の実施形態の採血針を説明するための部分切欠正面断面図及び該採血針を用いた採血操作を説明するための部分切欠正面断面図である。
【００５１】
第２の実施形態の採血針２１では、付勢手段として第１の実施形態で用いられたコイルバネ８に代えて、板バネ部材２２，２３が用いられている。その他の点については、第１の実施形態と同様であるため、同一部分については同一の参照番号を付することにより、第１の実施形態について行った説明を援用することとする。
【００５２】
板バネ部材２２，２３は、下端が弁部材６の上面６ｂに固定されており、上端が自由端とされている。板バネ部材２２，２３の先端は、ハブ２の内部空間の天面２ｄに当接されている。板バネ部材２２，２３は、例えば金属や硬質の合成樹脂からなり、弾力性を有する。また、図３（ａ）に示すように、板バネ部材２２，２３は、上方外側に向かって湾曲した形状を有する板状部材により構成されている。
【００５３】
板バネ部材２２，２３は、常時は、弁部材６を下方に付勢するように作用する。すなわち、図３（ａ）に示した状態において、弾発力により弁部材６を下方に付勢している。
【００５４】
第１の状態では、弁部材６の内部流路７の開口７ａが、ハブ２の内側面２ｃに密着しており、従って内部流路７と流路５とが遮断されている。そして、第１の実施形態の場合と同様に、第２の中空針４及び弁部材６を上方に移動させるように外力を作用させると、板バネ部材２２，２３が圧縮され第２の状態とされる。この場合、板バネ部材２２，２３が
圧縮され、弁部材６の上面６ｂと、ハブ２の天面２ｄとの間の距離が短くなり、板バネ部材２２，２３が圧縮されることになる。
【００５５】
上記外力を解除と、板バネ部材２２，２３の弾発力、すなわち付勢力により弁部材６は、図３（ａ）に示した第１の状態に復帰する。
【００５６】
よって、本実施形態の採血針２１を用いた場合においても、上記板バネ部材２２，２３の弾発力により第１の状態から第２の状態に速やかに復帰することになるため、採血終了後の逆流を確実にかつ速やかに防止することができる。
【００５７】
図４は、本発明の一実施形態の逆流防止構造を有するルアー針が固定される採血ホルダーを説明するための正面断面図である。
【００５８】
図４に示すルアー針３１は、第１の実施形態の採血針１から第１の中空針３を取り除いた構造に相当する。従って、同一部分については同一の参照番号を付することによりその説明を省略する。
【００５９】
もっとも、ルアー針３１では、ハブ２の下方に連なるように雄ねじ部３２が設けられている。この雄ねじ部３２は、採血ホルダー４１にルアー針３１を固定するために設けられている。採血ホルダー４１は、円筒状の部材からなり、一端に開口４１ａを有する。開口４１ａは、真空採血管を挿入するために設けられている。開口４１ａとは反対側の端部４１ｂは閉じられている。開口４１ａには、内周面に雌ねじが形成された貫通孔４１ｃが設けられている。この貫通孔４１ｃにルアー針３１を第２の中空針４側から挿入し、雄ねじ部３２をねじ込むことにより、ルアー針３１を採血ホルダー４１に固定することができる。
【００６０】
従って、上記ルアー針３１を採血ホルダー４１に固定した場合、ルアー針付きの採血ホルダーを構成することができる。このようなルアー針付きの採血ホルダーもまた、本発明の一実施態様である。
【００６１】
なお、図４では、上記ルアー針３１と、採血ホルダー４１とが別部材で構成されており、上記のように、雄ねじ部３２を貫通孔４１ｃの雌ねじにねじ込むことによりルアー針３１が固定されていたが、図５（ａ）及び（ｂ）に示す採血ホルダー５１のように、ルアー針が採血ホルダーに一体化されていてもよい。なお、採血ホルダー５１は、上記ルアー針３１及び採血ホルダー４１を一体化した構造に相当するため、同一部分については同一の参照番号を付することとする。
【００６２】
なお、上記ルアー針３１や採血ホルダー５１を用いて採血を行う場合には、別途用意した第１の中空針６１（図５参照）を採血用中空針として取り付ければよい。例えば、図５（ｂ）に示すように、第１の中空針６１は、針先６１ａを有し、基部が筒状支持部６１ｂに固定されている。この筒状支持部６１ｂがホルダー５１のハブ２の上端に固定されている。採血ホルダー５１は、筒状部材からなり、下方に開いた開口５１ａを有する。開口５１ａから採血管が挿入される。また、図４及び図５に示したように、本発明に係る採血具の逆流防止構造は、採血針だけでなく、ルアー針や、ルアー針を有する採血ホルダーあるいはルアー針と採血ホルダーとが一体化された構造など様々な採血具に適用することができる。
【００６３】
また、本発明においては、第２の中空針が挿入される採血容器は、必ずしも真空採血管に限定されず、減圧されていない採血管であってもよく、様々な形状の容器であってもよい。
【図面の簡単な説明】
【００６４】
【図１】（ａ）及び（ｂ）は、本発明の第１の実施形態に係る採血針の正面図及び第１の状態にある採血針の部分切欠正面断面図。
【図２】本発明の第１の実施形態に係る採血針が第２の状態にあるときの要部を示す部分切欠正面断面図。
【図３】（ａ）及び（ｂ）は、本発明の第２の実施形態に係る採血針の要部を示す部分切欠正面断面図及び第２の中空針を採血管の栓体に刺通する状態を示す部分切欠正面断面図。
【図４】本発明の第３の実施形態としてのルアー針を採血ホルダーに固定する工程を示す部分正面断面図。
【図５】（ａ）及び（ｂ）は、本発明の第４の実施形態として、逆流防止構造が備えられた採血ホルダーを示す正面図及び該採血ホルダーに採血針を固定する工程を示す正面断面図。
【符号の説明】
【００６５】
１…採血針
２…ハブ（筒状体）
２ａ…第１の端部
２ｂ…第２の端部
２ｃ…内側面
２ｄ…天面
３…第１の中空針
３ａ…基部
３ｂ…針先
４…第２の中空針
４ａ…基部
４ｂ…針先
５…流路
６…弁部材
６ａ…側面
６ｂ…上面
７…内部流路
７ａ…開口
８…コイルバネ（付勢部材）
１１…真空採血管
１２…栓体
１３…管状容器
２１…採血針
２２，２３…板バネ部材（付勢手段）
３１…ルアー針
３２…雄ねじ部
４１…採血ホルダー
４１ａ…開口
４１ｂ…端部
４１ｃ…貫通孔
５１…採血ホルダー
５１ａ…開口
６１…中空針
６１ａ…針先
６１ｂ…筒状支持部
【図１】
2005323942.tif 000003
【図２】
2005323942.tif 000004
【図３】
2005323942.tif 000005
【図４】
2005323942.tif 000006
【図５】
2005323942.tif 000007